(57)【要約】【課題】  いわゆるディスポーザブルタイプとしての使用に適しており、手軽に分析することが可能な分析装置用カートリッジを提供すること。【解決手段】  試料液に含まれる特定成分の分析を行う分析装置に装填される分析装置用カートリッジＡであって、上記試料液が導入される液導入口３と、上記試料液を希釈する希釈手段４と、希釈手段４により希釈された希釈試料液に含まれる特定成分を分析するための１以上の分析部５Ａ，５Ｂ，５Ｃ，５Ｄと、分析された上記希釈試料液を貯蔵しておくための１以上の貯蔵手段６１と、を備えている。【選択図】  図１
2007003414.tif 000002
【特許請求の範囲】
【請求項１】
試料液に含まれる特定成分の分析を行う分析装置に装填される分析装置用カートリッジであって、
上記試料液が導入される液導入口と、
上記試料液を希釈する希釈手段と、
上記希釈手段により希釈された希釈試料液に含まれる特定成分を分析するための１以上の分析部と、
分析された上記希釈試料液を貯蔵しておくための１以上の貯蔵手段と、を備えていることを特徴とする、分析装置用カートリッジ。
【請求項２】
上記希釈手段は、上記試料液を希釈するための希釈液が貯蔵された希釈液槽を含む、請求項１に記載の分析装置用カートリッジ。
【請求項３】
上記希釈手段は、上記試料液と上記希釈液との少なくとも一部ずつを混合するための１以上の希釈槽を含む、請求項１または２に記載の分析装置用カートリッジ。
【請求項４】
上記希釈手段は、上記液導入口から導入された上記試料液から一定量を分離する試料液計量手段を含む、請求項３に記載の分析装置用カートリッジ。
【請求項５】
上記試料液計量手段は、上記液導入口から延びる導入流路と、上記導入流路に対して分岐部を介して繋がる計量流路およびオーバーフロー流路とを含んでおり、上記計量流路は上記希釈槽へと向かっている、請求項４に記載の分析装置用カートリッジ。
【請求項６】
上記計量流路と上記希釈槽との間には、オリフィスが介在する、請求項５に記載の分析装置用カートリッジ。
【請求項７】
上記オーバーフロー流路のうち上記分岐部から少なくとも上記計量流路の長さに相当する部分は、その断面積が上記計量流路の断面積と同じである、請求項６に記載の分析装置用カートリッジ。
【請求項８】
上記希釈手段は、上記希釈液槽の上記希釈液から一定量を分離する希釈液計量手段を含む、請求項３に記載の分析装置用カートリッジ。
【請求項９】
上記希釈液計量手段は、大断面部と、この大断面部の流れ方向両端につながる１対のテーパ部とを有する計量流路を含む、請求項８に記載の分析装置用カートリッジ。
【請求項１０】
上記希釈手段は、第１および第２希釈槽を含んでおり、
上記第１希釈槽には、上記液導入口から導入された上記試料液が流入する流路と、上記希釈液槽から上記希釈液が流入する流路とが繋がっており、
上記第２希釈槽には、上記第１希釈槽において希釈された希釈試料液が流入する流路と、上記希釈液槽から上記希釈液が流入する流路とが繋がっている、請求項３に記載の分析装置用カートリッジ。
【請求項１１】
上記第１希釈槽において希釈された希釈試料液を分析するための第１分析部と、
上記第２希釈槽において希釈された希釈試料液を分析するための第２分析部と、を備えている、請求項１０に記載の分析装置用カートリッジ。
【請求項１２】
上記分析部を通過した上記希釈試料液の流量を計測するための流量計測部をさらに備えている、請求項１に記載の分析装置用カートリッジ。
【請求項１３】
上記流量計測部は、蛇行流路と、上記蛇行流路の流れ方向において離間した位置に配置された２以上の希釈試料液検知手段とを含む、請求項１２に記載の分析装置用カートリッジ。
【請求項１４】
上記希釈試料液検知手段は、電極を含む、請求項１３に記載の分析装置用カートリッジ。
【請求項１５】
上記蛇行流路は、上記貯蔵手段となっている、請求項１３または１４に記載の分析装置用カートリッジ。
【請求項１６】
上記分析部は、細孔と、この細孔を挟んで離間した１対の電極とを有する電気抵抗式分析部を含む、請求項１ないし１５のいずれかに記載の分析装置用カートリッジ。
【請求項１７】
上記分析部は、反射膜と、透光部と、上記反射膜または上記投光部に塗布された試薬とを有する、光学式分析部をさらに含む、請求項１ないし１６のいずれかに記載の分析装置用カートリッジ。
【請求項１８】
上記試料液および上記希釈試料液が流される流路は、水の接触角が６０度以上の疎水性の面により構成されている、請求項１ないし１７のいずれかに記載の分析装置用カートリッジ。
【請求項１９】
上記流路は、その幅／深さが、１以上５以下であるものを含む、請求項１８に記載の分析装置用カートリッジ。
【請求項２０】
本体と、上記本体に貼りあわされたプリント配線基板とを備えており、
上記本体には、複数の凹部または溝部が形成されており、
上記複数の凹部または溝部を上記プリント配線基板が覆うことにより、複数の流路または槽が構成されている、請求項１ないし１９のいずれかに記載の分析装置用カートリッジ。
【請求項２１】
複数の凹部または溝部を有する本体と、
上記複数の凹部または溝部内に露出するようにインサート成形により上記本体と一体的に形成された電極と、
上記本体に貼り合わされた被覆部材とを備えており、
上記複数の凹部または溝部を上記被覆部材が覆うことにより、複数の流路または槽が構成されている、請求項１ないし１９のいずれかに記載の分析装置用カートリッジ。
【請求項２２】
上記試料液は、人体の血液である、請求項１ないし２１のいずれかに記載の分析装置用カートリッジ。
【請求項２３】
上記特定成分は、赤血球、白血球、および血小板などの血球である、請求項２２に記載の分析装置用カートリッジ。
【請求項２４】
上記特定成分は、ヘモグロビンまたはＣ反応タンパクである、請求項２２に記載の分析装置用カートリッジ。
【発明の詳細な説明】
【技術分野】
【０００１】
本発明は、たとえば血液中の特定成分を分析するための分析装置に装填される分析装置用カートリッジであって、特にディスポーザブルタイプの分析装置用カートリッジに関する。
【背景技術】
【０００２】
人体の健康状態を把握し、あるいは特定の病気を治療するには、血液中の特定成分を分析することが有効である。このような用途に用いられる血液分析装置には、血液中の赤血球または白血球などの血球を計数する血球カウンタと呼ばれるものがある。
【０００３】
図２５は、従来の血球カウンタに装填されるカートリッジの一例を示している。同図に示されたカートリッジＸは、シリコン基板９１と透明なガラス板９２とが貼りあわされたものであり、電気抵抗検出法を用いた血球カウンタ（図示略）のケーブルコネクタＹにコネクタ９７が接続されて使用される。カートリッジＸには、導入口９３ａと排出口９３ｂとが形成されている。あらかじめ分析すべき血液が希釈液によって希釈された検体血液が導入口９３ａから導入される。上記検体血液は、流路９４ａから細孔９４ｃを経て流路９４ｂへと流れる。流路９４ａ，９４ｂには、１対の電極９５ａ，９５ｂが設けられている。上記検体血液の大部分を占める上記希釈液は導電性であるため、上記検体血液が流れると、１対の電極９５ａ，９５ｂ間が導通状態となる。一方、上記検体血液中の赤血球または白血球は、絶縁体とみなせるため、これらの赤血球および白血球が細孔９４ｃを通過するときには、一時的に１対の電極９５ａ，９５ｂ間の電気抵抗値が大きくなる。この電気抵抗値の変動を時系列的に検出し、所定時間における電気抵抗値の瞬時上昇回数、いわゆるパルス数と、導入口９３ａから導入した上記検体血液の流量とから、上記検体血液の単位体積あたりの赤血球数または白血球数が算出される。この算出結果に、上記検体血液の希釈倍率を乗算することにより、血液中の赤血球数または白血球数が計数される。カートリッジＸは、比較的単純な構造の流路９４ａ，９４ｂと１対の電極９５ａ，９５ｂとを主要な構成要素とするものであり、一回きりの使用に用いられるいわゆるディスポーザブルタイプのカートリッジとして構成されている。
【０００４】
しかしながら、カートリッジＸを利用した血球カウンタを用いて、使用者が頻繁に血球を計数するには、以下のような不具合があった。
【０００５】
第１に、導入口９３ａから導入された上記検体血液は、全て排出口９３ｂからカートリッジＸ外へと排出される。このため、分析済みの検体血液を貯蔵しておくためのタンクなどを、上記血球カウンタ本体、あるいはその周辺に常備しておく必要がある。上記検体血液は、血液を数百から数万倍に希釈したものであり、その量は決して少なくない。したがって、上記タンクとしても、カートリッジＸと比べて非常に大型であるものを常備しておくことが強いられる。
【０００６】
第２に、上記検体血液を準備するには、カートリッジＸとは別に、希釈手段を用意する必要がある。この希釈手段には、たとえば希釈液タンクと、希釈液および血液を混合するための希釈槽とが含まれる。特に、血球を正確に計数するには、希釈倍率を正確に設定することが不可欠であり、上記希釈液あるいは血液の計量手段も含まれる場合がある。すなわち、カートリッジＸの小型化を図っても、外出先などで計数するにはこれらの備品を携行することが強いられる。このようなことでは、血球の計数を頻繁に行うには、はなはだ不便である。
【０００７】
第３に、計数される血球としては、赤血球、白血球、および血小板などがある。健康状態の正確な把握、またはより緻密な治療には、これらの血球を一括して計数することが好ましい。しかし、カートリッジＸは、１対の電極９５ａ，９５ｂを備えるだけである。複数種類の血球を計数するには、各血球を計数するたびにカートリッジＸを取り替えるか、計数と計数の間に流路９４ａ，９４ｂなどを洗浄する必要がある。カートリッジＸを外出先などで適切に洗浄することは困難であり、複数種類の血球の計数は現実的ではない。さらに、血液の特定成分を分析するには、電気抵抗検出法を用いた血球計数のほかに、ヘモグロビン（以下Ｈｂ）やＣ反応タンパク（以下ＣＲＰ）などを対象として光学的手法を用いた分析も行われている。カートリッジＸには、光学的手法による分析機能は備えられていないため、血球カウンタとは別に、光学的手法を用いた分析装置を用いることが必要な場合もあった。
【０００８】
【特許文献１】特開２００２−２７７３８０号公報
【発明の開示】
【発明が解決しようとする課題】
【０００９】
本発明は、上記した事情のもとで考え出されたものであって、いわゆるディスポーザブルタイプとしての使用に適しており、手軽に分析することが可能な分析装置用カートリッジを提供することをその課題とする。
【課題を解決するための手段】
【００１０】
上記課題を解決するため、本発明では、次の技術的手段を講じている。
【００１１】
本発明によって提供される分析装置用カートリッジは、試料液に含まれる特定成分の分析を行う分析装置に装填される分析装置用カートリッジであって、上記試料液が導入される液導入口と、上記試料液を希釈する希釈手段と、上記希釈手段により希釈された希釈試料液に含まれる特定成分を分析するための１以上の分析部と、分析された上記希釈試料液を貯蔵しておくための１以上の貯蔵手段と、を備えていることを特徴としている。
【００１２】
このような構成によれば、上記分析装置用カートリッジを用いた分析を行っても、上記希釈試料液は、上記分析装置用カートリッジ外には流出しない。このため、上記分析装置用カートリッジ以外に、分析済みの上記希釈試料液を貯蔵しておくためのタンクなどが不要である。したがって、上記分析に要する機器およびそのためのスペースを削減することができる。また、上記希釈試料液は、上記分析装置に付着することがない。このため、上記分析装置には、使用後の乾燥により上記希釈液に含まれていた塩が析出することや、これによる配管の閉塞などのおそれがない。これは、上記分析装置のメンテナンスを容易化するのに適している。
【００１３】
本発明の好ましい実施の形態においては、上記希釈手段は、上記試料液を希釈するための希釈液が貯蔵された希釈液槽を含む。このような構成によれば、上記希釈液用のタンクなどが不要である。したがって、上記分析装置用カートリッジと、これを装填する分析装置とを携帯すれば、外出先などでの血球計数などを手軽に行うことが可能であり、便利である。
【００１４】
本発明の好ましい実施の形態においては、上記希釈手段は、上記試料液と上記希釈液との少なくとも一部ずつを混合するための１以上の希釈槽を含む。このような構成によれば、上記分析装置用カートリッジ内において、希釈された希釈試料液を生成することが可能であり、上記分析装置用カートリッジ以外に専用の希釈手段を用意する必要がない。
【００１５】
本発明の好ましい実施の形態においては、上記希釈手段は、上記液導入口から導入された上記試料液から一定量を分離する試料液計量手段を含む。このような構成によれば、たとえば、血液中の血球の計数など、正確な希釈倍率で希釈することが必然となる分析を適切に行うことができる。
【００１６】
本発明の好ましい実施の形態においては、上記試料液計量手段は、上記液導入口から延びる導入流路と、上記導入流路に対して分岐部を介して繋がる計量流路およびオーバーフロー流路とを含んでおり、上記計量流路は上記希釈槽へと向かっている。このような構成によれば、上記計量流路内に所定量の上記試料液を滞留させることにより、上記試料液の計量を正確かつ簡便に行うことができる。
【００１７】
本発明の好ましい実施の形態においては、上記計量流路と上記希釈槽との間には、オリフィスが介在する。このような構成によれば、上記計量流路内に所定量の上記試料液を滞留させるのに有利である。
【００１８】
本発明の好ましい実施の形態においては、上記オーバーフロー流路のうち上記分岐部から少なくとも上記計量流路の長さに相当する部分は、その断面積が上記計量流路の断面積と同じである。このような構成によれば、上記オーバーフロー流路内に上記試料液の大部分が流入してしまうことを防止することができる。
【００１９】
本発明の好ましい実施の形態においては、上記希釈手段は、上記希釈液槽の上記希釈液から一定量を分離する希釈液計量手段を含む。このような構成によれば、たとえば、血液中の血球の計数など、正確な希釈倍率で希釈することが必然となる分析を適切に行うことができる。
【００２０】
本発明の好ましい実施の形態においては、上記希釈液計量手段は、大断面部と、この大断面部の流れ方向両端につながる１対のテーパ部とを有する計量流路を含む。このような構成によれば、上記希釈液を上記計量流路内に比較的大量に滞留させることが可能である。これにより、たとえば１００倍程度の高倍率希釈をすることができる。また、上記希釈液が上記大断面部に流入するときや、上記大断面部から流出するときに、不当に流れが乱れることを防止することができる。
【００２１】
本発明の好ましい実施の形態においては、上記希釈手段は、第１および第２希釈槽を含んでおり、上記第１希釈槽には、上記液導入口から導入された上記試料液が流入する流路と、上記希釈液槽から上記希釈液が流入する流路とが繋がっており、上記第２希釈槽には、上記第１希釈槽において希釈された希釈試料液が流入する流路と、上記希釈液槽から上記希釈液が流入する流路とが繋がっている。このような構成によれば、上記試料液をいわゆる２段階に希釈することが可能である。したがって、たとえば、１００倍希釈を２回行うことにより、１万倍希釈という格段に高倍率の希釈を達成できる。
【００２２】
本発明の好ましい実施の形態においては、上記第１希釈槽において希釈された希釈試料液を分析するための第１分析部と、上記第２希釈槽において希釈された希釈試料液を分析するための第２分析部と、を備えている。このような構成によれば、互いに希釈倍率の異なる２種類の希釈試料液について分析を行うことが可能である。これにより、上記試料液について、多岐にわたる分析が可能となる。
【００２３】
本発明の好ましい実施の形態においては、上記分析部を通過した上記希釈試料液の流量を計測するための流量計測部をさらに備えている。このような構成によれば、一定流量で上記希釈試料液を流さなくても、所定時間内に上記分析部を通過した上記希釈試料液の流量を正確に把握することが可能である。これは、体積あたりの濃度または分布数を分析するのに有利であり、上記分析装置に備えられるポンプなどを簡便化することができる。
【００２４】
本発明の好ましい実施の形態においては、上記流量計測部は、蛇行流路と、上記蛇行流路の流れ方向において離間した位置に配置された２以上の希釈試料液検知手段とを含む。このような構成によれば、上記流量計測部の流れ方向長さを比較的長くしつつ、その平面的配置をたとえば正方形状に近い配置とすることが可能である。したがって、分析精度の向上と、上記分析装置用カートリッジの小型化とを図ることができる。
【００２５】
本発明の好ましい実施の形態においては、上記希釈試料液検知手段は、電極を含む。このような構成によれば、上記希釈試料液を容易に検知することができる。
【００２６】
本発明の好ましい実施の形態においては、上記蛇行流路は、上記貯蔵手段となっている。このような構成によれば、上記分析装置用カートリッジの小型化に有利である。
【００２７】
本発明の好ましい実施の形態においては、上記分析部は、細孔と、この細孔を挟んで離間した１対の電極とを有する電気抵抗式分析部を含む。このような構成によれば、たとえば電気抵抗の変動を利用した血球の計数を適切に行うことができる。
【００２８】
本発明の好ましい実施の形態においては、上記分析部は、反射膜と、透光部と、上記反射膜または上記投光部に塗布された試薬とを有する、光学式分析部をさらに含む。このような構成によれば、たとえばＨｂやＣＲＰなどの分析を適切に行うことができる。
【００２９】
本発明の好ましい実施の形態においては、上記試料液および上記希釈試料液が流される流路は、水の接触角が６０度以上の疎水性の面により構成されている。このような構成によれば、上記試料液または希釈試料液が毛細管現象により不当に流れ出すことを防止することができる。
【００３０】
本発明の好ましい実施の形態においては、上記流路は、その幅／深さが、１以上５以下であるものを含む。このような構成によれば、上記試料液または上記希釈試料液を、上記流路内において不当に蛇行することなく一様流として流すことができる。
【００３１】
本発明の好ましい実施の形態においては、本体と、上記本体に貼りあわされたプリント配線基板とを備えており、上記本体には、複数の凹部または溝部が形成されており、上記複数の凹部または溝部を上記プリント配線基板が覆うことにより、複数の流路または槽が構成されている。このような構成によれば、上記分析装置用カートリッジを、簡便な構造としつつ、多岐にわたる分析を行うのに適した構成とすることができる。
【００３２】
本発明の好ましい実施の形態においては、複数の凹部または溝部を有する本体と、上記複数の凹部または溝部内に露出するようにインサート成形により上記本体と一体的に形成された電極と、上記本体に貼り合わされた被覆部材とを備えており、上記複数の凹部または溝部を上記被覆部材が覆うことにより、複数の流路または槽が構成されている。このような構成によれば、上記本体と上記電極とを一括して形成可能であり、製造効率の向上に適している。
【００３３】
本発明の好ましい実施の形態においては、上記試料液は、人体の血液である。
【００３４】
本発明の好ましい実施の形態においては、上記特定成分は、赤血球、白血球、および血小板などの血球である。
【００３５】
本発明の好ましい実施の形態においては、上記特定成分は、ヘモグロビンまたはＣ反応タンパクである。
【００３６】
本発明のその他の特徴および利点は、添付図面を参照して以下に行う詳細な説明によって、より明らかとなろう。
【発明を実施するための最良の形態】
【００３７】
以下、本発明の好ましい実施の形態につき、図面を参照して具体的に説明する。
【００３８】
図１および図２は、本発明に係る分析装置用カートリッジの一例を示している。同図に示されたカートリッジＡは、本体１とプリント配線基板２とが貼りあわされており、液導入口３、希釈手段４、複数の分析部５Ａ，５Ｂ，５Ｃ，５Ｄ、および２つの流量計測部６Ａ，６Ｂとを具備して構成されている。
【００３９】
本体１は、扁平矩形状であり、たとえばアクリルなどの透明樹脂からなる。本体１の図２における図中下面には、後述する流路や槽を形成するための複数の凹部または溝部が形成されている。本実施形態においては、本体１は、７０ｍｍ角程度のサイズとされ、その厚さが３ｍｍ程度とされる。
【００４０】
プリント配線基板２は、エポキシ樹脂などからなる複数の基材が積層されており、これらの基材の間に銅箔などからなる配線パターンが形成されている。また、プリント配線基板２には、後述する複数の電極５１，６２が形成されている。これらの電極５１，６２は、いわゆるスルーホール構造とされている。プリント配線基板２の延出部には、コネクタ８が形成されている。コネクタ８は、カートリッジＡを血球カウンタ（図示略）などの分析装置に接続するために用いられる。本体１とプリント配線基板２とは、たとえば接着剤を用いて液密に接合されている。また、本体１およびプリント配線基板２は、いずれも少なくとも後述する流路などを形成する表面が水の接触角が６０度以上の疎水性表面とされている。
【００４１】
液導入口３は、分析すべき血液をカートリッジＡに導入するためのものである。液導入口３は、本体１に形成された貫通口であり、その直径が３ｍｍ程度とされる。
【００４２】
希釈手段４は、液導入口３から導入された血液を各種分析に適した濃度に希釈するためのものであり、希釈液槽４１、第１および第２希釈槽４２Ａ，４２Ｂ、血液計量手段４３、および希釈液計量手段４４を具備して構成されている。本実施形態の希釈手段４は、後述するように第１および第２希釈槽４２Ａ，４２Ｂを用いた２段階希釈が可能なタイプとされている。
【００４３】
希釈液槽４１は、血液を希釈するための希釈液４０をカートリッジＡ内に内蔵しておくためのものである。希釈液槽４１は、直径１２ｍｍ程度、深さ２ｍｍ程度とされており、２００μＬ程度の希釈液４０を内蔵可能である。希釈液４０は、たとえば生理食塩水などである。希釈液槽４１における希釈液４０の内蔵には、たとえば希釈液槽４１の内面に沿った形状とされたアルミパックが用いられる。
【００４４】
血液計量手段４３は、液導入口３と第１希釈槽４２Ａとの間に配置されており、導入流路４３ａ、計量流路４３ｃ、およびオーバーフロー流路４３ｄを含んでいる。導入流路４３ａは、液導入口３から血液を導入する流路となっており、その幅が２５０μｍ程度、その深さが２５０μｍ程度とされており、幅／深さが１である。以下に説明する各流路は、特に説明する場合を除き、導入流路４３ａと同様の幅および深さとされている。なお、各流路内における一様流を確保するためには、上記幅／深さが５以下であることが好ましい。導入流路４３ａからは、分岐部４３ｂを介して計量流路４３ｃとオーバーフロー流路４３ｄとが延びている。計量流路４３ｃは、血液を分析に適した所定量だけ一時的に滞留させるためのものである。計量流路４３ｃは、その長さが８ｍｍ程度とされており、その容積が０．５μＬ程度とされる。計量流路４３ｃと第１希釈槽４２Ａとの間には、オリフィス４３ｅが設けられている。オリフィス４３ｅは、その幅が５０μｍ程度とされており、計量流路４３ｃから第１希釈槽４２Ａへの圧損抵抗を意図的に高めるためのものである。オーバーフロー流路４３ｄは、蛇行流路であり、ドレインＤ１に繋がっている。
【００４５】
希釈液計量手段４４は、希釈液槽４１の下流側に配置されており、バルブＶ１，Ｖ２を介して第１および第２希釈槽４２Ａ，４２Ｂのそれぞれに繋がっている。希釈液計量手段４４は、導入流路４４ａ、計量流路４４ｃ、およびオーバーフロー流路４４ｄを含んでいる。導入流路４４ａは、希釈液槽４１から希釈液４０を導入する流路となっている。導入流路４４ａからは、分岐部４４ｂを介して計量流路４４ｃとオーバーフロー流路４４ｄとが延びている。計量流路４４ｃは、上記血液を所定濃度に希釈するために正確な量の希釈液４０を一時的に滞留させるためのものである。図３および図４に示すように、計量流路４４ｃは、大断面部４４ｃａと２つのテーパ部４４ｃｂとを有する。大断面部４４ｃは、その幅が２ｍｍ程度、深さが２ｍｍ程度とされており、その容積が５０μＬ程度となっている。２つのテーパ部４４ｃｂは、大断面部４４ｃａの前後端にそれぞれ繋がっており、希釈液４０が大断面部４４ｃａに流入し、また大断面部４４ｃａから流出するときにその流れが不当に乱れることを防止するためのものである。図１および図２に示すように、オーバーフロー流路４４ｄは、ドレインＤ２に繋がっている。
【００４６】
第１および第２希釈槽４２Ａ，４２Ｂは、血液の希釈がなされる槽であり、いずれもその直径が６ｍｍ程度、深さが２ｍｍ程度とされており、その容積が５０μＬ以上となっている。第１希釈槽４２Ａは、血液計量手段４３および希釈液計量手段４４と繋がっており、血液計量手段４３により計量された血液が、希釈液計量手段４４により計量された希釈液４０により希釈される槽である。第２希釈槽４２Ｂは、第１希釈槽４２Ａおよび希釈液計量手段４４と繋がっており、第１希釈槽４２Ａにおいて希釈された検体血液が、希釈液計量手段４４により計量された希釈液４０により希釈される槽である。第１希釈槽４２Ａと第２希釈槽４２Ｂとの間には、計量流路４６が設けられている。本実施形態においては、第１および第２希釈槽４２Ａ，４２Ｂにおける希釈倍率が同じである構成であるため、計量流路４６は、上述した計量流路４３ｃと同一のサイズとされている。
【００４７】
複数の分析部５Ａ，５Ｂ，５Ｃ，５Ｄは、血液中の特定成分の分析が行われる部位である。第１および第２分析部５Ａ，５Ｂは、電気抵抗検出法を用いた分析部であり、第１分析部５Ａが白血球用、第２分析部５Ｂが赤血球用である。一方、第３および第４分析部５Ｃ，５Ｄは、光学的手法を用いた分析部であり、第３分析部５ＣがＨｂ用、第４分析部がＣＲＰ用である。
【００４８】
第１分析部５Ａは、バッファ槽４５を介して第１希釈槽４２Ａに繋がっており、第１希釈槽４２Ａにおいて希釈された検体血液を用いて白血球の計数を行うための部位である。図５および図６に示すように、第１分析部５Ａは、細孔５３とこの細孔５３を挟む１対の電極５１とを有しており、電気抵抗検出法を用いた計数が可能に構成されている。細孔５３は、その前後の流路の幅が２５０μｍ程度であるのに対して、その幅が５０μｍ程度の狭幅とされている。この幅は、白血球が通過したときに１対の電極５１間の電気抵抗の変化が顕著に大きくなるように決定されている。細孔５３前後の略円形状に拡大された流路部分には、１対の電極５１が設けられている。１対の電極５１は、たとえば金、白金、パラジウム、カーボンから選ばれた１種または複数種類のものからなり、印刷の手法により形成されている。図６に示すように、各電極５１は、スルーホール５２を介して配線パターン２２に導通している。スルーホール５２および配線パターン２２は、たとえば銅からなる。
【００４９】
第２分析部５Ｂは、第２希釈槽４２Ｂに繋がっており、第２希釈槽４２Ｂにおいて第２回目の希釈がなされた検体血液を用いて赤血球の計数を行うための部位である。第２分析部５Ｂは、図５および図６を用いて説明した第１分析部とほぼ同一構造を有している。
【００５０】
第３および第４分析部５Ｃ，５Ｄは、バッファ槽４５にそれぞれ独立に繋がっている。図７および図８に示すように第３および第４分析部５Ｃ，５Ｄは、略円形状に拡大された流路部分に設けられた反射膜５５を有しており、光学的手法によりそれぞれＨｂおよびＣＲＰを計測するための部位である。反射膜５５は、たとえば金、白金、パラジウムから選ばれた１種または複数種類のものからなり、電極５１と一括して印刷の手法により形成されている。図８に示すように、拡大された流路部分の図中上面には、試薬５６が塗布されている。試薬５６は、検体血液と混合されてＨｂまたはＣＲＰについて光学的手法により計測を行うことを可能とするものである。本実施形態においては、透明とされた本体１を通して、第３および第４分析部５Ｃ，５Ｄに光が照射され、その反射光を検出することにより、ＨｂおよびＣＲＰの計測が可能となっている。
【００５１】
第１および第２分析部５Ａ，５Ｂには、流量計測部６Ａ，６Ｂがそれぞれ繋がっている。流量計測部６Ａ，６Ｂは、それぞれ第１および第２分析部５Ａ，５Ｂを通過した検体血液の流量を計測するための部位であり、蛇行流路６１と複数の電極６２とを有している。蛇行流路６２は、流れ方向の長さを大としつつ、十分な容積を有する。本実施形態においては、蛇行流路６２は、第１分析部５Ａまたは第２分析部５Ｂを通過した分析済みの検体血液を少なくとも５０μＬ以上貯蔵可能な貯蔵手段となっている。複数の電極６２は、互いに蛇行流路６１の流れ方向において一定ピッチで配置されている。各電極６２は、上述した電極５１と同様の構造である。
【００５２】
次に、カートリッジＡを用いた血液分析について、以下に説明する。
【００５３】
まず、図１において、液導入口３から試料液としての血液をスポイトなどを用いて導入する。血液が導入されたカートリッジＡを分析装置（図示略）に装填する。この装填においては、コネクタ８を上記分析装置のコネクタ（図示略）に接続する。この際に、図２に示す液導入口３およびドレインＤ１〜Ｄ７は、上記分析装置に備えられたポンプに繋がる複数のエア吐出ノズルまたはエア吸引ノズルに接続される。上記分析装置は、上記ポンプと上記エア吐出ノズルおよびエア吸引ノズルとの接続状態が適宜切り替え可能に構成されている。
【００５４】
次に、血液計量手段４３による血液の計量を行う。その手順を、図９〜図１３を参照しつつ説明する。本体１およびプリント配線基板２が疎水性表面を有するため、液導入口３から導入された血液Ｓには、毛細管現象による流動は生じることが無く、液導入口３に滞留する。血液Ｓを導入した後は、液導入口３からエアの吐出を行う。これにより、図９に示すように、液導入口３から導入流路４３ａを経て計量流路４３ｃおよびオーバーフロー流路４３ｄへと血液Ｓが流れ出す。計量流路４３ｃとオーバーフロー流路４３ｄとは、互いの断面積が略同じであるため、血液Ｓが流れるときの圧損抵抗も略同一である。したがって、計量流路４３ｃとオーバーフロー流路４３ｄとに含まれる血液Ｓの流れ方向長さが略同じとなるように、血液Ｓが流れる。
【００５５】
上記吐出を継続すると、図１０に示すように、計量流路４３ｃ内に血液Ｓが満たされた状態となる。このとき、オーバーフロー流路４３ｄには、計量流路４３ｃに相当する長さ分だけ血液Ｓが存在する。
【００５６】
図１０に示された状態からさらに吐出を継続すると、図１１に示す状態となる。すなわち、計量流路４３ｃの下流側には、オリフィス４３ｅが設けられているため、血液Ｓが流れるときの圧損抵抗が非常に大きい。一方、オーバーフロー流路４３ｄは、流れ方向において一様断面とされているため、オリフィス４３ｅと比べて圧損抵抗が顕著に小さい。これにより、計量流路４３ｃ内に血液Ｓが滞留されたままの状態で、オーバーフロー流路４３ｄ内を血液Ｓが流れ続けることとなる。
【００５７】
さらに上記吐出を継続すると、液導入口３から全ての血液Ｓが流出し、図１２に示す状態となる。本図においては、上記吐出の継続により、導入流路４３ａおよびオーバーフロー流路４３ｄの上流寄りの部分には血液Ｓの代わりにエアが侵入しており、計量流路４３ｃ内に滞留した血液Ｓａが血液Ｓから分離されている。液導入口３に注入する血液Ｓの量はほぼ一定であるため、図９に示したエア吐出開始時から図１２に示す状態となるまでの時間は、ほぼ一定である。この一定時間を上記分析装置に備えられたタイマにより計測し、一定時間経過後に上記吐出を停止する。
【００５８】
そして、図１３に示すように、上記分析装置によりドレインＤ１を閉状態とした上で、再び液導入口３からエアを吐出すると、計量流路４３ｃに滞留していた血液Ｓａがオリフィス４３ｅを通して第１希釈槽４２Ａへと流出させられる。以上の手順により、所定量の血液Ｓａの計量が完了し、第１希釈槽４２Ａには所定量である０．５μＬ程度の血液Ｓａが滞留する。
【００５９】
次に、希釈液計量手段４４による希釈液４０の計量を行う。その手順を図１４〜図１８を参照しつつ説明する。図１４は、希釈液４０の計量を開始する状態を示している。この状態とするには、たとえば、希釈液槽４１内において希釈液４０が封入されたアルミパック（図示略）を破裂させ、希釈液４０を流出可能な状態とする。本体１およびプリント配線基板２は、疎水性表面を有するため、上記アルミパックを破裂させても、希釈液４０が毛細管現象などにより不当に流れ出すことはない。
【００６０】
希釈液４０を流出可能とした後は、ドレインＤ２を閉状態、ドレインＤ３を開状態として、希釈液槽４１からエアの吐出を開始する。これにより、図１５に示すように、希釈液４０は、希釈液槽４１から押し出され、導入流路４４ａを通って、計量流路４４ｃへと流れる。
【００６１】
さらに上記吐出を継続すると、図１６に示す状態となる。計量流路４４ｃには、テーパ部４４ｃｂの下流側に大断面部４４ｃａが形成されている。上述したとおり、大断面図４４ｃａを形成する面は疎水性表面であるため、希釈液４０には、図中上方に留まらせる表面張力がはたらき、毛細管現象による進行は生じない。上記吐出による推進力が、上記表面張力に抗して、希釈液４０を図中下方へと序々に送り出す。このまま上記吐出を継続すると、図１７に示すように、計量流路４４ｃ内が希釈液４０により満たされ、希釈液４０はドレインＤ３へと向かう。希釈液４０の先端部分がドレインＤ３の手前に到達したことを、たとえば電極（図示略）を用いた電気抵抗手段、あるいは反射膜（図示略）を用いた光学的手段により検知する。この検知をもって上記吐出を停止する。
【００６２】
そして、図１８に示すように、希釈液槽４１へのエア吐出経路を閉状態とし、かつバルブＶ１を開状態とした上で、たとえばドレインＤ２からエアを吐出する、あるいは、第１希釈槽４２Ａより下流側に位置するいずれかのドレインから吸引する。これにより、計量流路４４ｃに滞留していた希釈液４０が第１希釈槽４２Ａへと送り出される。以上の手順により希釈液４０の計量が完了し、第１希釈槽４２Ａには、所定量である５０μＬ程度の希釈液４０ａが滞留する。
【００６３】
この後は、第１希釈槽４２Ａ内において、０．５μＬ程度の血液Ｓａと５０μＬ程度の希釈液４０ａとを混合し、１００倍に希釈された希釈試料液としての検体血液を得る。この混合は、たとえば、第１希釈槽４２Ａに内蔵された鉄球を磁力を利用して第１希釈槽４２Ａ内を円運動させることなどにより行えばよい。以上の手順による希釈を、第１回目の希釈と呼ぶこととする。
【００６４】
第１希釈槽４２Ａにおける第１回目の希釈が完了した後は、第１分析部５Ａによる白血球の計数と、第３および第４分析部５Ｃ，５ＤによるＨｂおよびＣＲＰの分析とを行う。図１に示すように、第１希釈槽４２Ａにはバッファ槽４５が繋がっている。このバッファ槽４５に１００倍に希釈された上記検体血液を送出する。白血球を計数するには、上記検体血液中の赤血球を破壊する溶血処理を施しておく必要がある。本実施形態においては、たとえばバッファ槽４５に溶血剤が塗布されている。
【００６５】
バッファ槽４５に蓄えられた上記検体血液の一部を用いて、第１分析部５Ａにより白血球を計数する手順を、図１９〜図２３を参照しつつ説明する。この計数には、第１分析部５Ａと、その下流側に設けられた第１流量計測部６Ａとを用いる。図１９は、白血球の計数を開始する状態を示しており、バッファ槽４５に１００倍に希釈された希釈試料液としての検体血液ＤＳが滞留している。この状態において、たとえばドレインＤ４からエアの吸引を開始する。すると、図２０に示すようにバッファ槽４５から検体血液ＤＳが流出し、第１分析部５Ａを流れる。
【００６６】
さらにドレインＤ４からの吸引を継続すると図２１に示すように検体血液ＤＳの先端部分が、複数の電極６２のうち最も上流側に位置する電極６２ａに到達する。たとえば、電極６２ａと電極５１との導通を監視することにより、検体血液ＤＳの先端部分が電極６２ａに到達したことを検出することができる。この検出を目安として、第１分析部５Ａによる白血球の計数を開始する。上述したとおり、細孔５３は狭幅であるため白血球が通過すると、１対の電極５１間の電気抵抗が瞬間的に大きくなる。これにより、１対の電極５１間の電気抵抗を時系列的に監視すると、白血球の通過に対応してパルス信号が発生する。このパルス信号の数を積算する。
【００６７】
上記パルス信号を積算しつつ、上記吸引を継続すると、図２２に示すように、検体血液ＤＳの先端部分は、複数の電極６２のうち上流側から数えて２番目にある電極６２ｂに到達する。この到達は、たとえば、電極６２ａ，６２ｂ間の導通を監視することにより検出することができる。検体血液ＤＳの先端部分が電極６２ａに到達してから電極６２ｂに到達するまでの間に第１分析部５Ａを通過した検体血液ＤＳの流量は、電極６２ａ，６２ｂ間に滞留可能な検体血液ＤＳの量と同じである。電極６２ａ，６２ｂ間の流れ方向距離は既知であるため、第１分析部５Ａを通過した検体血液ＤＳの流量を知ることができる。この流量と積算されたパルス数とにより、血液検体ＤＳの単位体積あたりの白血球数が得られる。これにより血液Ｓの単位体積あたりの白血球の個数を計数することができる。
【００６８】
この後は、上記吸引を継続し計数を重ねることにより、さらに計数の精度を向上させることも可能である。本実施形態においては、第１流量計測部６Ａは、多数の電極６２を備えている。したがって、検体血液ＤＳの先端部分が電極６２ａ，６２ｂ以降の各電極６２に到達するごとに上記パルス数を記憶させると、多数回の計数が可能である。これは、より多量の血液検体ＤＳを用いて計数することと同義であるため、計数精度の向上を図ることができる。そして、たとえば図２３に示すように、血液検体ＤＳの先端部分が、複数の電極６２のうち最も下流側に位置する電極６２ｎに到達したことを検知したことをもって、第１分析部５Ａによる計数処理を終了すればよい。また、本図から明らかなように、第１分析部５Ａによる計数が終了したときには、分析済みの検体血液ＤＳは、蛇行流路６１内に滞留した状態とされる。
【００６９】
一方、第３および第４分析部５Ｃ，５Ｄによる分析は、たとえば、第１分析部５Ａによる計数が終了した後に、ドレインＤ５，Ｄ６からそれぞれ吸引し、血液検体ＤＳを第３および第４分析部５Ｃ，５Ｄそれぞれの反射膜５５に到達させて行う。この際、図８に示すように、血液検体ＤＳは、試薬５６と反応し、ＨｂおよびＣＲＰのそれぞれを分析可能な状態となる。この状態で、上記分析装置から本体１を透してそれぞれの反射膜５５に光を照射し、その反射光を本体１を透して上記分析装置に備えられた受光素子などにより受光する。この光を適宜処理することにより、ＨｂおよびＣＲＰの分析を行うことができる。なお、本実施形態とは異なり、プリント配線基板２に代えて、透明な材質からなる基板を備える構成としてもよい。この場合、反射膜５５は不要である。第３および第４分析部５Ｃ，５Ｄは、いずれも透明である本体１および上記基板により挟まれた構造となる。したがって、ＨｂおよびＣＲＰの分析をいわゆる透過測定により行うことが可能である。
【００７０】
次に、第２分析部５Ｂによる赤血球の計数手順を以下に説明する。この計数に先立ち、図１に示す希釈手段４により、第２回目の希釈を行う。この第２回目の希釈の手順は、図９〜図１８を参照して説明した第１回目の希釈の手順と類似している。すわなち、第１回目の希釈においては、血液Ｓを希釈液４０を用いて１００倍程度に希釈したのに対し、第２回目の希釈においては、第１回目の希釈により得られた１００倍希釈の検体血液ＤＳを希釈液４０を用いてさらに１００倍程度希釈する。これにより得られる検体血液は、血液Ｓを１万倍に希釈したものに相当する。第１希釈槽４２Ａに１００倍希釈の検体血液ＤＳが滞留している状態で、図１に示す計量流路４６を利用して、第２希釈槽４２Ｂに５０μＬ程度の検体血液ＤＳを送出する。計量流路４６を利用した検体血液ＤＳの計量は、図９〜図１３を参照して説明した計量手順とほぼ同様である。一方、図１４〜図１８を参照して説明した希釈液計量手段４４による計量において、図１８に示すバルブＶ１を閉状態とし、その一方で、バルブＶ２を開状態とする。これにより、５０μＬ程度の希釈液４０を、第２希釈槽４２Ｂへと送出することができる。第２希釈槽４２Ｂにおいては、５μＬの検体血液ＤＳと５０μＬ程度の希釈液４０とにより、実質的に１万倍の希釈を行う。
【００７１】
以上の手順により得られた１万倍希釈の検体血液を用いて、第２分析部５Ｂによる赤血球の計数を行う。この計数手順は、第１分析部５Ａよる計数手順とほぼ同一である。第２流量計測部６Ｂを利用して流量計測する点についても、第１流量計測部６Ａを利用した流量計測と同様である。
【００７２】
次に、カートリッジＡの作用について説明する。
【００７３】
本実施形態によれば、カートリッジＡを用いた分析を行っても、血液検体ＤＳは、カートリッジＡ外には流出しない。このため、カートリッジＡ以外に、分析済みの上記希釈試料液を貯蔵しておくためのタンクなどが不要である。したがって、上記分析に要する機器およびそのためのスペースを削減することができる。また、希釈液槽４１を備えることにより、希釈液４０用の専用のタンクなどが不要である。さらに、カートリッジＡ内において、希釈された検体血液ＤＳを生成することが可能であり、カートリッジＡ以外に専用の希釈手段を用意する必要がない。したがって、カートリッジＡと、これを装填する分析装置とを携帯すれば、外出先などでの血球計数などを手軽に行うことが可能であり、便利である。カートリッジＡは、ディスポーザルタイプとして使用されるのに好適である。ディスポーザルタイプであれば、洗浄手段が不要である。
【００７４】
また、本実施形態によれば、第１および第２希釈槽４２Ａ，４２Ｂを利用して２段階の希釈を行うことができる。したがって、たとえば１００倍希釈と１万倍希釈という、比較的高倍率の２種類の希釈が可能である。これにより、白血球の計数と赤血球の計数という、それぞれに適した希釈倍率が顕著に異なる分析を一括して行うことができる。また、血液計量手段４３および希釈液計量手段４４を備えることにより、十分に正確な希釈倍率で希釈することが可能である。大断面部４４ｃａを用いた計量は、高倍率希釈に特に有効である。
【００７５】
第１および第２流量計測部６Ａ，６Ｂを用いた流量計測は、非常に簡便かつ正確である。これにより、たとえば赤血球および白血球の正確な計数が可能となるのみならず、上記分析装置内に、一定流量を実現するための機構が不要となる。したがって、上記分析装置の簡便化にも有利である。
【００７６】
スルーホール５２を備えるプリント配線基板２を用いることにより、電極５１，６２以外の部分は平滑面とすることができる。これは、本体１とプリント配線基板２とを液密に接合するのに好適である。
【００７７】
図２４は、本発明に係る分析装置用カートリッジの変形例を示す部分拡大図である。この変形例においては、本体１とリード５４とが、インサート成形により一体的に形成されている。リード５４のうち流露に露出した一端部が上述した電極５１となっている。リード５４の他端部は、本体１から露出し、図１および図２に示すコネクタ８を構成している。このような構成によれば、電極５１を形成するための専用の印刷工程などを経ることなく、本体１と電極５１とを一括して形成することが可能であり、製造効率の向上に適している。
【００７８】
本発明に係る分析装置用カートリッジは、上述した実施形態に限定されるものではない。本発明に係る分析装置用カートリッジの各部の具体的な構成は、種々に設計変更自在である。
【００７９】
本体の材質は、透明であるものに限定されず、一部が不透明であってもよい。この場合、少なくとも光学的分析部に相当する部分は透明部とする。プリント配線基板を用いれば、薄型化に好ましいが、いわゆるリジッド基板を用いてもよい。希釈試料液検知手段としては、電極を含むもののほかに、たとえば光学的手段を用いたものでもよい。
【００８０】
希釈手段における希釈倍率は、流路などのサイズを適宜設定することにより、さらなる高倍率化が可能である。また、２段階の希釈に限定されず、たとえば１回のみの希釈、あるいは３回以上の希釈を行う構成としてもよい。
【００８１】
本発明に係る分析装置用のカートリッジは、血液の計数などに限定されず、さまざまな試料液の分析に用いることができる。
【図面の簡単な説明】
【００８２】
【図１】本発明に係る分析装置用カートリッジの一例を示す全体平面図である。
【図２】本発明に係る分析装置用カートリッジの一例を示す全体斜視図である。
【図３】本発明に係る分析装置用カートリッジの一例の計量流路を示す要部平面図である。
【図４】図３のＩＶ−ＩＶ線に沿う要部断面図である。
【図５】本発明に係る分析装置用カートリッジの一例の電気抵抗式分析部を示す要部平面図である。
【図６】図３のＶＩ−ＶＩ線に沿う要部断面図である。
【図７】本発明に係る分析装置用カートリッジの一例の光学式分析部を示す要部平面図である。
【図８】図７のＶＩＩＩ−ＶＩＩＩ線に沿う要部断面図である。
【図９】本発明に係る分析装置用カートリッジの一例を用いた血液計量手順において、血液導入状態を示す要部平面図である。
【図１０】本発明に係る分析装置用カートリッジの一例を用いた血液計量手順において、計量流路が充填された状態を示す要部平面図である。
【図１１】本発明に係る分析装置用カートリッジの一例を用いた血液計量手順において、オーバーフロー流路への継続流入を示す要部平面図である。
【図１２】本発明に係る分析装置用カートリッジの一例を用いた血液計量手順において、計量流路内に血液が分離された状態を示す要部平面図である。
【図１３】本発明に係る分析装置用カートリッジの一例を用いた血液計量手順において、第１希釈槽に血液が送出された状態を示す要部平面図である。
【図１４】本発明に係る分析装置用カートリッジの一例を用いた希釈液計量手順において、その開始状態を示す要部平面図である。
【図１５】本発明に係る分析装置用カートリッジの一例を用いた希釈液計量手順において、希釈液導入状態を示す要部平面図である。
【図１６】本発明に係る分析装置用カートリッジの一例を用いた希釈液計量手順において、計量流路への継続流入を示す要部平面図である。
【図１７】本発明に係る分析装置用カートリッジの一例を用いた希釈液計量手順において、計量流路が充填された状態を示す要部平面図である。
【図１８】本発明に係る分析装置用カートリッジの一例を用いた希釈液計量手順において、第１希釈槽に希釈液が送出された状態を示す要部平面図である。
【図１９】本発明に係る分析装置用カートリッジの一例を用いた血球計数手順において、その初期状態を示す要部平面図である。
【図２０】本発明に係る分析装置用カートリッジの一例を用いた血球計数手順において、検体血液が第１分析部に到達した状態を示す要部平面図である。
【図２１】本発明に係る分析装置用カートリッジの一例を用いた血球計数手順において、その開始状態を示す要部平面図である。
【図２２】本発明に係る分析装置用カートリッジの一例を用いた血球計数手順において、検体血液の先端部分が上流から２個目の電極に到達した状態を示す要部平面図である。
【図２３】本発明に係る分析装置用カートリッジの一例を用いた血球計数手順において、検体血液の先端部分が最下流側の電極に到達した状態を示す要部平面図である。
【図２４】本発明に係る分析装置用カートリッジの変形例を示す要部断面図である。
【図２５】従来の分析装置用カートリッジの一例を示す全体斜視図である。
【符号の説明】
【００８３】
Ａ      （分析装置用）カートリッジ
Ｄ１〜Ｄ７  ドレイン
ＤＳ    検体血液（希釈試料液）
Ｓ      血液（試料液）
Ｓａ    血液（分離された試料液）
Ｖ１，Ｖ２  バルブ
１      本体
２      プリント配線基板
３      液導入口
４      希釈手段
５Ａ    第１分析部（電気抵抗式分析部）
５Ｂ    第２分析部（電気抵抗式分析部）
５Ｃ    第３分析部（光学式分析部）
５Ｄ    第４分析部（光学式分析部）
６Ａ    第１流量計測部
６Ｂ    第２流量計測部
８  コネクタ
２２    配線
４０    希釈液
４０ａ  分離された希釈液
４１    希釈液槽
４２Ａ  第１希釈槽
４２Ｂ  第２希釈槽
４３    血液計量手段（試料液計量手段）
４３ａ  導入流路
４３ｂ  分岐部
４３ｃ  計量流路
４３ｄ  オーバーフロー流路
４３ｅ  オリフィス
４４    希釈液計量手段
４４ａ  導入流路
４４ｂ  分岐部
４４ｃ  計量流路
４４ｃａ  大断面部
４４ｃｂ  テーパ部
４４ｄ  オーバーフロー流路
４５    バッファ槽
４６    計量流路
５１    電極
５２    スルーホール
５３    オリフィス
５４    リード
５５    反射膜
５６    試薬
６１    蛇行流路（貯蔵手段）
６２    電極（希釈試料液検知手段）
【図１】
2007003414.tif 000003
【図２】
2007003414.tif 000004
【図３】
2007003414.tif 000005
【図４】
2007003414.tif 000006
【図５】
2007003414.tif 000007
【図６】
2007003414.tif 000008
【図７】
2007003414.tif 000009
【図８】
2007003414.tif 000010
【図９】
2007003414.tif 000011
【図１０】
2007003414.tif 000012
【図１１】
2007003414.tif 000013
【図１２】
2007003414.tif 000014
【図１３】
2007003414.tif 000015
【図１４】
2007003414.tif 000016
【図１５】
2007003414.tif 000017
【図１６】
2007003414.tif 000018
【図１７】
2007003414.tif 000019
【図１８】
2007003414.tif 000020
【図１９】
2007003414.tif 000021
【図２０】
2007003414.tif 000022
【図２１】
2007003414.tif 000023
【図２２】
2007003414.tif 000024
【図２３】
2007003414.tif 000025
【図２４】
2007003414.tif 000026
【図２５】
2007003414.tif 000027